(57)【特許請求の範囲】
【請求項１】
付勢要素が非圧縮状態で、かつ前記付勢要素の少なくとも一部が制御弁のアクチュエータの筐体によって画定された端部を超えて空洞の外側に延びるように、前記付勢要素を前記筐体によって画定された前記空洞内に位置付けることと、
前記空洞の外側に延びる前記付勢要素の前記一部が前記空洞の内側に位置付けられるまで、前記付勢要素を圧縮状態に圧縮することと、
前記空洞内の前記付勢要素を捕捉するためにカバーを前記筐体の前記端部に結合することと、
前記付勢要素が前記カバーに係合しないように、前記結合中に前記付勢要素を前記圧縮状態に維持することと
を含む、制御弁のアクチュエータを組み立てる方法。
【請求項２】
前記カバーが前記筐体に取り付けられた後、前記付勢要素が前記カバーを係合するまで前記付勢要素を少なくとも部分的に減圧することをさらに含む、請求項１に記載の方法。
【請求項３】
前記付勢要素が前記非圧縮状態にあるときに、プレートを前記空洞から延びる前記付勢要素の前記一部に結合することをさらに含む、請求項１〜２のいずれか１項に記載の方法。
【請求項４】
締結部を介して前記プレートをステムに結合することをさらに含む、請求項３に記載の方法。
【請求項５】
前記プレートを介して前記付勢要素を圧縮するために、前記締結部を前記ステムの長手軸に対して第１の方向に回転させることをさらに含み、前記締結部を前記第１の方向に回転させることにより、前記プレートを前記長手軸に沿って第１の直線方向に移動させて前記付勢要素を圧縮する、請求項４に記載の方法。
【請求項６】
前記プレートを介して前記付勢要素を減圧するために、前記締結部を前記ステムの前記長手軸に対して前記第１の方向と反対の第２の方向に回転させることをさらに含み、前記締結部を前記第２の方向に回転させることにより、前記プレートを前記長手軸に沿って第
２の直線方向に移動させて前記付勢要素を減圧する、請求項５に記載の方法。
【請求項７】
前記ステムに作動可能に結合された流れ制御部材が弁の第１の止め部を係合するまで、前記付勢要素を圧縮することをさらに含む、請求項４〜６のいずれか１項に記載の方法。
【請求項８】
前記カバーが前記筐体に取り付けられた後、前記流れ制御部材が前記弁の第２の止め部を係合するまで、前記付勢要素を減圧することをさらに含む、請求項７に記載の方法。
【請求項９】
前記カバーが前記筐体に結合されるとき、前記カバー内に提供された穴を介して前記締結部を前記ステムから取り除くことをさらに含む、請求項４〜８のいずれか１項に記載の方法。
【請求項１０】
前記付勢要素を圧縮状態に維持することは、前記付勢要素の前記一部が前記筐体の前記端部から離れて位置付けられるまで、前記付勢要素を前記空洞内に圧縮することを含む、請求項１〜９のいずれか１項に記載の方法。
【請求項１１】
第１の寸法長さを有する空洞を画定する、制御弁のアクチュエータの筐体と、
弛緩状態で前記空洞内に位置付けられたバネであって、前記弛緩状態における前記バネは、前記バネの少なくとも一部が前記筐体から延びるように、前記空洞の前記第１の寸法長さより長い第２の寸法長さを有する、バネと、
前記バネに結合された圧縮アセンブリであって、前記圧縮アセンブリは前記バネを圧縮状態に圧縮し、前記圧縮状態における前記バネは、前記空洞の前記第１の寸法長さより短い第３の寸法長さを有する、圧縮アセンブリと、
前記筐体に結合されたカバーであって、前記圧縮アセンブリの少なくとも一部は、前記カバーが前記筐体に結合されているとき、前記カバーを介してアクセス可能である、カバーとを備える、制御弁のアクチュエータを組み立てるため及び分解するために用いられる装置。
【請求項１２】
前記カバーは、前記カバーの前記筐体への組立中に、前記バネにより引き起こされる前記カバー又は前記筐体の摩耗を防止するために前記バネが前記圧縮状態にあるときに、前記筐体に結合される、請求項１１に記載の装置。
【請求項１３】
前記バネの第１の端部は、前記圧縮アセンブリを係合するものあり、前記バネの第２の端部は、負荷部材を係合するものである、請求項１１又は１２に記載の装置。
【請求項１４】
前記圧縮アセンブリは、前記負荷部材のステムに螺合可能に結合された締結部を備え、前記締結部が前記ステムに対して前記締結部の長手軸を中心に第１の方向に回転することにより、前記バネを前記圧縮状態に向かって移動させ、前記締結部が前記ステムに対して前記長手軸を中心に前記第１の方向と反対の第２の方向に回転することにより、前記バネを前記弛緩状態に向かって移動させる、請求項１３に記載の装置。
【請求項１５】
前記圧縮アセンブリは、前記締結部の頭部と前記バネの前記第２の端部との間に位置付けられたプレートをさらに備え、前記プレートは、前記締結部が前記長手軸に対して回転するときに、負荷を前記バネの前記第２の端部に均一に分散させる、請求項１４に記載の装置。
【請求項１６】
前記カバーは穴を備え、前記締結部は前記穴からアクセスされ、前記穴を通って移動する、請求項１４又は１５に記載の装置。
【請求項１７】
弁を通る流体流れを制御する手段を駆動する手段であって、駆動する前記手段は、筐体
によって画定された空洞内に位置付けられる、駆動する手段と、
非圧縮状態で前記空洞内に位置付けられる付勢する手段と、
付勢する前記手段を圧縮する手段であって、圧縮する前記手段は、付勢する前記手段が前記空洞の内側に、かつ前記筐体の縁部から離れて位置付けられるように、付勢する前記手段を圧縮状態に位置付ける、圧縮する手段と、
前記空洞をカバーする手段であって、前記空洞をカバーする前記手段は、カバーする前記手段を前記筐体に組立中に、付勢する前記手段が力をカバーする前記手段に付与しないように、付勢する前記手段が前記圧縮状態であるときに前記筐体の前記縁部に結合する、カバーする手段とを含む、装置。
【請求項１８】
圧縮する前記手段は、流体流れを制御する前記手段および駆動する前記手段を結合する手段を螺合可能に係合する、請求項１７に記載の装置。
【請求項１９】
圧縮する前記手段は、付勢する前記手段を前記圧縮状態に駆動し、カバーする前記手段が前記筐体に結合される、または前記筐体から分離されるときに、付勢する前記手段を前記圧縮状態に選択的に維持する手段を含む、請求項１７又は１８に記載の装置。
【請求項２０】
付勢する前記手段は、付勢する前記手段が前記非圧縮状態にあるときに、前記空洞の外側に少なくとも部分的に延びる、請求項１７〜１９のいずれか１項に記載の装置。
【発明の詳細な説明】
【技術分野】
【０００１】
本特許は、一般にアクチュエータに関し、より詳細にはアクチュエータを組み立てる方法および装置に関する。
【背景技術】
【０００２】
制御弁は、通常、プロセス流体の流れを制御するためにプロセス制御システムに使用される。制御弁は、通常、制御弁を自動化するために流れ制御部材に作動可能に結合されたアクチュエータ（例えば、空気圧アクチュエータ、油圧アクチュエータなど）を含む。作動中、制御流体（例えば、空気）は、制御弁を通る流体流れを調節するために、弁座に対して流れ制御部材を位置付けるためにアクチュエータに供給される。
【０００３】
多くのプロセス制御の用途は、フェールセーフシステムを含むためにアクチュエータ（例えば、弁アクチュエータ）を必要とする。フェールセーフシステムは、緊急事態の間、停電中、および／またはアクチュエータ（例えば、空気圧アクチュエータ）への制御流体（例えば、空気）の供給が停止した場合、アクチュエータを、ひいては流れ制御部材を完全閉位置または完全開位置のいずれかに移動させることにより、プロセス制御システムに保護を提供する。
【０００４】
フェールセーフシステムを提供するために、一部のアクチュエータは、アクチュエータのシリンダ内に配置された付勢部材を含む。しかし、場合によっては、付勢部材を含むことは、アクチュエータの寸法エンベロープ（例えば、長さ）を著しく増大させることがある。他の場合では、付勢部材を含むことは、アクチュエータのシリンダが付勢要素より短い寸法エンベロープを有する場合、複雑なアセンブリまたはツールを必要とすることがある。
【発明の概要】
【０００５】
例示的方法は、付勢要素が非圧縮状態で、付勢要素の少なくとも一部が筐体によって画定された端部を超えて空洞の外側に延びるように、付勢要素をアクチュエータの筐体によって画定された空洞内に位置付けること、空洞の外側に延びる付勢要素の一部が空洞の内側に位置付けられるまで、付勢要素を圧縮状態に圧縮すること、空洞内の付勢要素を捕捉するためにカバーを筐体の端部に結合すること、および付勢要素がカバーを係合しないように、結合中に付勢要素を圧縮状態に維持することを含む。
【０００６】
例示的アクチュエータは、第１の寸法長さを有する空洞を画定する筐体、および弛緩状態で空洞内に位置付けられたバネを含む。弛緩状態におけるバネは、バネの少なくとも一部が筐体から延びるように、空洞の第１の寸法長さより長い第２の寸法長さを有する。圧縮アセンブリは、バネに結合され、バネを圧縮状態に圧縮する。圧縮状態におけるバネは、空洞の第１の寸法長さより短い第３の寸法長さを有する。カバーは筐体に結合され、圧縮アセンブリの少なくとも一部は、カバーが筐体に結合されているとき、カバーを介してアクセス可能である。
【０００７】
別の例示的アクチュエータは、弁を通る流体流れを制御する手段を駆動する手段を含み、駆動する手段は、筐体によって画定された空洞内に位置付けられる。付勢する手段は、非圧縮状態で空洞内に位置付けられる。圧縮する手段は、付勢する手段が空洞の内側に、かつ筐体の縁部から離れて位置付けられるように、付勢する手段を圧縮状態に圧縮する。空洞をカバーする手段は、カバーする手段を筐体に組立中に付勢する手段がカバーする手段に力を付与しないように、付勢する手段が圧縮状態であるときに筐体の縁部に結合する
。
【図面の簡単な説明】
【０００８】
【図１】本明細書に開示された教示により構築された例示的アクチュエータを示す図である。
【図２】付勢要素が非圧縮状態のときに、部分的に組み立てられた状態における図１の例示的アクチュエータを示す図である。
【図３】付勢要素が圧縮状態のときに、部分的に組み立てられた状態の図１および２の例示的アクチュエータを示す図であり、例示的アクチュエータのカバーは取り除かれている。
【図４】例示的アクチュエータに結合されたカバーを有する図１〜３の例示的アクチュエータを示す図であり、付勢要素は圧縮状態である。
【図５】図１〜４の例示的アクチュエータを示す図であるが、例示的圧縮アセンブリの一部が例示的アクチュエータから取り除かれていることを示す。
【図６】本明細書に開示された例示的アクチュエータを組み立てる例示的方法のフローチャートである。
【発明を実施するための形態】
【０００９】
一部の公知のアクチュエータ（例えば、スプリングリターン・アクチュエータ）は、機械的フェールセーフリターンを提供する。例えば、機械的フェールセーフリターンを提供するために、一部のこのような公知のアクチュエータは、アクチュエータのシリンダ内に、かつアクチュエータの負荷部材（例えば、ダイヤフラムまたはピストン）に直接接触して配置されたバネを利用する。バネは、アクチュエータへの制御流体供給ができない、かつ／あるいはアクチュエータへの制御流体供給が取り除かれた際に、負荷部材をストローク移動の一端（例えば、完全開位置または完全閉位置）に押し付ける。
【００１０】
スプリングリターン機構を利用するアクチュエータの組立てを促進するために、シリンダは、バネが弛緩状態または非圧縮状態のときに、バネをシリンダの空洞の内側（例えば、完全に内側）に含有するために寸法プロファイル（例えば、長さまたは高さ）を提供されることが多い。この手法では、バネは、カバーがシリンダに取り付けられる際に、著しい力をカバーに付与しない。
【００１１】
しかし、ある特定の用途（例えば、衛生市場）では、空間は限定されることがあり、したがって、バネが弛緩状態であるとき、バネの寸法長さと実質的に等しい寸法プロファイルを有するアクチュエータを提供することは、実際的でない、または実行可能ではないことがある。したがって、このような場合には、寸法プロファイルを提供されることが多い場合にアクチュエータのシリンダは、バネが弛緩状態であるときに、バネの寸法プロファイルより短い。結果として、このような場合には、バネは、カバーがシリンダに結合されるときに負荷または力をカバーに付与する。カバーおよびシリンダの組立中かつ／または分解中に、カバーに付与される負荷は、カバーおよび／またはシリンダを例えば、摩耗に起因して損耗させる、かつ／または損傷させることがある。摩耗は、例えば、金属表面間の動的接触および／または摺動中に圧縮応力が増加することに起因して、互いに接触して金属表面間の材料の損耗および／または移動を指す。
【００１２】
衛生用途では、例えば、アクチュエータのカバーおよび／またはシリンダは、防食または清浄特徴を提供する材料（例えば、ステンレス鋼、３００シリーズステンレス鋼など）から構成されてもよい。しかし、ステンレス鋼などの材料は比較的可鍛性がある。結果として、ステンレス鋼材料から構成されるアクチュエータ構成要素（例えば、筐体および／またはカバー）は、組立中に摩耗しやすい可能性がある。
【００１３】
本明細書に開示された例示的装置および関連方法は、組立中にアクチュエータ構成要素への（例えば、摩耗に起因する）損傷を防止する。より具体的には、本明細書に開示された装置および関連方法は、アクチュエータの組立中かつ／または分解中にアクチュエータの一部の構成要素（例えば、カバー、基部など）から付勢要素の力（例えば、垂直力）を作動可能に分離する、または取り除く。
【００１４】
結果として、本明細書に開示された例示的装置および関連方法により、アクチュエータが比較的小さい寸法エンベロープを有することが可能になる。加えて、または別法として、本明細書に開示された例示的装置および関連方法により、可鍛性の材料から構成されるアクチュエータが（例えば、摩耗に起因する）著しい損傷なしに組み立てられるかつ／または分解されることが可能になる一方で、アクチュエータは比較的小さい寸法エンベロープまたはプロファイルを有することが可能になる。詳細には、本明細書に開示された例示的装置は、バネまたは付勢要素のプロファイルまたは寸法長さより短いプロファイルまたは寸法長さを有してもよい。この手法では、本明細書に開示された例示的アクチュエータは、比較的小さいまたは限定された空間を有する用途（例えば、衛生用途）に利用されてもよいが、例えば、ステンレス鋼などの防食材料の使用を必要とする。
【００１５】
アクチュエータの組立中かつ／または分解中に付勢要素の力を作動可能に分離する、または効果的に取り除くために、本明細書に開示された例示的装置および関連方法は、圧縮装置を利用する。より具体的には、本明細書に開示された例示的圧縮装置は、付勢要素の位置を空洞の内側に、かつシリンダの縁部から離れて位置付ける、または圧縮する。したがって、空洞から延びる付勢要素のあらゆる部分が、空洞の内側に圧縮される。この手法では、例示的カバーは、そうでなければ付勢要素によりカバーに付与させるはずである力の影響なしに、シリンダの端部に結合されてもよい。結果として、付勢要素の力は、カバーがシリンダに取り付けられる中に、カバーから有効に取り除かれる。力をカバーから取り除くことは、カバーおよび／またはシリンダが、例えばステンレス鋼から構成されるとき、シリンダに対してカバーを組立中かつ／または分解中に摩耗を大きく防止する。さらに、圧縮アセンブリの少なくとも一部は、カバーがアクチュエータに連結されるときにカバーを介してアクセス可能である、かつ／または圧縮アセンブリの少なくとも一部は、アクチュエータの作動への干渉なしに、作動中に筐体内に残存してもよい。
【００１６】
図１は、本明細書に開示された教示により構築された例示的アクチュエータ１０２を有する、例示的制御弁アセンブリ１００を示す。この例では、アクチュエータ１０２は、ボンネット１０６を介して弁１０４に結合される。弁１０４は、入口１１２と出口１１４との間に流体流れ通路１１０を画定する、弁体１０８を有する。流れ制御部材１１６は流体流れ通路１１０内に介装し、弁ステム１１８を介してアクチュエータ１０２に作動可能に結合される。アクチュエータ１０２は、流れ制御部材１１６を通路１１０内に配置された弁座１２０（例えば、弁体または座環）に対して移動させて、入口１１２と出口１１４との間の流体の流れを制御する。したがって、弁１０４を通って許可される流量は、弁座１２０に対する流れ制御部材１１６の位置によって制御される。
【００１７】
より具体的には、流れ制御部材１１６は、アクチュエータ１０２の長手軸１２４に沿って第１の直線方向１２２に弁座１２０から遠ざかることにより、入口１１２と出口１１４との間の流体流れを可能にし、アクチュエータ１０２の長手軸１２４に沿って第２の直線方向１２６に弁座１２０に向かって動き、入口１１２と出口１１４との間の流体流れを制限または阻止する。加えて、第１の直線方向１２２への流れ制御部材１１６の動きは、（例えば、弁体１０８の壁１３０によって画定された）第１の止め部１２８によって制限され、第２の直線方向１２６への流れ制御部材１１６の動きは、（例えば、弁体１０８の弁座１２０によって画定された、または提供された）第２の止め部１３２によって制限される。
【００１８】
示された例のアクチュエータ１０２は、筐体１３４の第１の端部または縁部１３８と筐体１３４の第２の端部または縁部１４０との間の空洞１３６を画定する、シリンダまたは筐体１３４を含む。負荷部材またはピストン１４２は、空洞１３６内に位置付けられて、ピストン１４２の第１の側面または面１４６に隣接した圧力チャンバ１４４、およびピストン１４２の第２の側面１５０に隣接したバネチャンバ１４８を画定する。付勢要素１５２はバネチャンバ１４８内に位置付けられ、アクチュエータ１０２が図１に示されたように組み立てられると、力をピストン１４２の第２の側面１５０に付与する。この例では、付勢要素１５２は２つのバネを含む。しかし他の例では、付勢要素は１つのバネであっても、または２つ以上のバネであってもよい。
【００１９】
付勢要素１５２を筐体１３４内に捕捉する、または収納するために、アクチュエータ１０２はカバー１５４を利用する。示された例のカバー１５４は、筐体１３４の縁部１３８に移動可能に取り付けられて、付勢要素１５２をピストン１４２の第２の側面１５０とカバー１５４との間のバネチャンバ１４８内に捕捉する。したがって、カバー１５４は少なくとも部分的にバネチャンバ１４８を画定し、付勢要素１５２の第１の端部１５６を係合して、カバー１５４が筐体１３４に取り付けられた、または結合されたときにバネ座１５８を提供する。示されたように、ピストン１４２の第２の側面１５０は、付勢要素１５２を空洞１３６内で導く、または配向するために、付勢要素１５２の第２の端部１６２に隣接した（例えば、凹部によって画定された）環壁１６０を含む。
【００２０】
図１に示されたように、アクチュエータステムまたはステムコネクタ１６４は、ピストン１４２を弁ステム１１８に結合させる。示されたように、アクチュエータステム１６４は、ピストン１４２内の開口１７０（例えば、中央開口）を通って弁ステム１１８の開口１６８を係合する、締結部１６６を含む。
【００２１】
加えて、図２〜４に関連して以下により詳細に記載されるように、例示的アクチュエータ１０２は、付勢要素１５２の第１の端部１５６に結合された圧縮アセンブリ１７２を利用して、アクチュエータ１０２の組立てを促進する。
【００２２】
作動中、加圧された制御流体は、圧力チャンバ１４４に提供され、または供給されて、力をピストン１４２の第１の側面１４６に付与する。圧力チャンバ１４４における制御流体の圧力と、付勢要素１５２によりピストン１４２の第２の端部１５０に提供された圧力によりピストン１４２を横切って提供される圧力差により、ピストン１４２は流れ制御部材１１６を第１の直線方向１２２および第２の直線方向１２６に移動させる。より具体的には、第２の側面１５０に提供される圧力または力より大きい、ピストン１４２の第１の側面１４６に提供される圧力または力は、流れ制御部材１１６を第１の直線方向１２２に移動させる。同様に、ピストン１４２の第２の側面１５０によって提供される圧力または力より小さい、ピストン１４２の第１の側面１４６に提供される圧力または力は、流れ制御部材１１６を第２の直線方向１２６に移動させる。
【００２３】
例えば、流れ制御部材１１６は、弁座１２０を封止的に係合して、流れ制御部材１１６が弁座１２０を係合する（例えば、完全閉位置）際に流体流れが弁１０４を通るのを防止または制限し、流れ制御部材１１６が弁座１２０から離間されることにより、流体流れが弁１０４（例えば、完全開位置）を通ることが可能になる。上記のように、第１の止め部１２８および第２の止め部１３２は、流れ制御部材１１６、ひいてはピストン１４２の第１の直線方向１２２および第２の直線方向１２６のそれぞれへの移動を制限する。圧縮アセンブリ１７２は、流れ制御部材が第１の止め部１２８と第２の止め部１３２との間を移動する際に、ピストン１４２および／またはアクチュエータ１０２の作動を妨げない、またはピストン１４２および／またはアクチュエータ１０２の作動に影響を及ぼさない。
【００２４】
さらに、この例では、例に示されたアクチュエータ１０２は、フェールトゥクローズのフェールセーフ機構を提供する。換言すると、付勢要素１５２は流れ制御部材１１６を弁座１２０に向かって付勢して、制御流体が圧力チャンバ１４４から取り除かれる際に、流体流れが弁１０４の通路１１０を通ることを防止する。しかし他の例では、制御弁アセンブリ１００は、フェールトゥオープンのフェールセーフ機構を提供するように構成されてもよい。例えば、流れ制御部材１１６は、制御流体が圧力チャンバ１４４から取り除かれる際、弁座１２０から離れて開位置に移動するように構成されてもよい。
【００２５】
図２は、部分的に組み立てられた状態における図１の例示的アクチュエータ１０２を示す。アクチュエータ１０２を組み立てるために、ピストン１４２はアクチュエータステム１６２に取り付けられ、筐体１３４の空洞１３６内に配置される。組立中、ピストン１４２（例えば、ピストン１４２の第１の側面１４６）は、筐体１３４の表面または基部２００（例えば、可動基部）に隣接して位置付けられる、または筐体１３４の表面または基部２００（例えば、可動基部）を係合する。弁ステム１１８は、アクチュエータステム１６４を介してピストン１４２に取り付けられる。
【００２６】
図２に示されたように、付勢要素１５２は、次いで筐体１３４の空洞１３６内に弛緩状態または非圧縮状況で位置付けられる。弛緩状態では、付勢要素１５２は、付勢要素１５２が圧縮状態または状況のとき、付勢要素１５２によって付与される力より著しく小さい力を付与する。図２に示されたように、付勢要素１５２の第１の端部１５６は、付勢要素１５２が空洞１３６内に弛緩状態で位置付けられているとき、筐体１３４の縁部１３８から距離２０２だけ離れて空洞１３６の外側に延びる、または突出する。換言すると、付勢要素１５２の寸法プロファイル（例えば、長さまたは高さ）は、付勢要素１５２が空洞１３６内に弛緩状態で配置されているとき、空洞１３６および／または筐体１３４の寸法プロファイル（例えば、高さまたは長さ）より大きい。
【００２７】
カバー１５４を筐体１３４に取り付けるまたは結合する前に、付勢要素１５２は圧縮アセンブリ１７２を介して圧縮される。圧縮アセンブリ１７２は、付勢要素１５２の第１の端部１５６に結合される。示された例では、圧縮アセンブリ１７２はプレート２０４および締結部２０６を含む。プレート２０４は付勢要素１５２の第１の端部１５６に位置付けられる、または結合され、締結部２０６はプレート２０４をアクチュエータステム１６４に結合させる。示されたように、締結部２０６はプレート２０４の開口２０８を通って位置付けられる。プレート２０４の第１の表面２１０は、付勢要素１５２の第１の端部１５６を係合し、締結部２０６の頭部２１２は、第１の表面２１０と反対側のプレート２０４の第２の表面２１４を係合する。示された例のプレート２０４は、付勢要素１５２を空洞１３６内で導く、または配向するために、環壁または唇部２１６を含む。加えて、または別法として、プレート２０４は、付勢要素１５２が組立中に圧縮される、または減圧される際、負荷を付勢要素１５２に均一に分散させるために、付勢要素１５２の全表面積または直径に重なる、または係合する（例えば、バネを係合する）。さらに、締結部２０６は、アクチュエータステム１６４のネジ開口２２０に螺合係合するネジ山付き部分２１８、およびプレート２０４の開口２０８に対して摺動するネジ山なし部分２２２を含む。図２に示された位置では、締結部２０６は、アクチュエータステム１６２のネジ開口２２０の中に部分的に螺合される。
【００２８】
図３は、別の部分的に組み立てられた状態の例示的アクチュエータ１０２を示す。図３を参照すると、圧縮アセンブリ１７２が付勢要素１５２に取り付けられた後、圧縮アセンブリ１７２は、付勢要素１５２を空洞１３６の内側に圧縮する。より具体的には、圧縮アセンブリ１７２は、図２に示された空洞１３６の外側に延びる付勢要素１５２の部分を、空洞１３６の内側に向かって、かつ筐体１３４の縁部１３８から離れて位置付ける、また
は移動させる。
【００２９】
付勢要素１５２を圧縮するために、締結部２０６は、長手軸１２４を中心に第１の回転方向３００（例えば、時計回りの方向）に回転される。より具体的には、締結部２０６はネジ開口２２０の中にネジ込まれる。締結部２０６がアクチュエータステム１６４のネジ開口２２０の中に螺合されると、締結部２０６は、まずピストン１４２を筐体１３４の縁部１３８に向かって第１の直線方向１２２（例えば、図３の向きでは上方方向）に、流れ制御部材１１６が第１の止め部１２８を係合するまで引き寄せる。第１の止め部１２８は、ピストン１４２が筐体１３４の縁部１３８に向かってさらに移動するのを防止する。
【００３０】
締結部２０６を第１の回転方向３００にさらに回転させることにより、プレート２０４が長手軸１２４に沿って第２の直線方向１２６にピストン１４２の第２の側面１５０に向かって（例えば、図３の向きでは流れ制御部材１１６に向かって下方方向に）移動する。プレート２０４を第２の直線方向１２６に移動させることにより、付勢要素１５２は圧縮する。換言すると、圧縮位置における付勢要素１５２の寸法プロファイル（例えば、長さまたは高さ）は、付勢要素１５２が図２に示されたように弛緩状態であるとき、付勢要素１５２の寸法プロファイル（例えば、長さまたは高さ）より小さい。付勢要素１５２は、付勢要素１５２が空洞１３６の内側に配置され、または位置付けられて、筐体１３４の縁部１３８から離間されるように、空洞１３６の寸法プロファイルより小さい寸法プロファイルに圧縮される。例えば、付勢要素１５２の第１の端部１５６は、筐体１３４の縁部１３８に対して距離３０２だけ圧縮されてもよい。
【００３１】
さらに、圧縮アセンブリ１７２は、付勢要素１５２を圧縮位置または状態で空洞１３６の内側に維持する。付勢要素１５２が図３に示されたように空洞１３６の内側に圧縮された状態で、カバー１５４は筐体１３４の縁部１３８に取り付けられる、または結合される。この例では、カバー１５４は、筐体１３４の縁部１３８に螺合結合される。他の例では、カバー１５４は、クランプ、溶接、またはあらゆる他の締結機構（複数可）または技法（複数可）を介して筐体１３４に結合されてもよい。付勢要素１５２が筐体１３４の縁部１３８から離間された状態で、カバー１５４は、付勢要素１５２のバネ力の影響を受けることなく筐体１３４の縁部１３８に取り付けられる。換言すると、付勢要素１５２は空洞１３６の内側に圧縮され、筐体１３４の縁部１３８から離間されるので、付勢要素１５２は、カバー１５４が筐体１３４に結合される間ににカバー１５４を係合しない。結果として、付勢要素１５２のバネ力（例えば、図３の向きでは上方垂直力）は、カバー１５４を筐体１３４に組立中にカバー１５４から作動可能に分離される、または有効に取り除かれる。
【００３２】
カバー１５４の組立中に付勢要素１５２の力をカバー１５４から取り除くことにより、筐体１３４に対してカバー１５４を回転させるより少ない保持力が必要なので、カバー１５４および筐体１３４の組立てを促進する。加えて、または別法として、組立中に付勢要素１５２のバネ力をカバー１５４から分離することにより、例えば、カバー１５４が筐体１３４に組み立てられる際に付勢要素１５２がカバー１５４を係合する、またはカバー１５４に接触する場合、そうでなければ起こり得る摩耗に起因して、カバー１５４および筐体１３４に与える損傷を大幅に低減する、または防止する。したがって、カバー１５４および／または筐体１３４（例えば、カバー１５４および／または筐体１３４のネジ）は、ステンレス鋼から構成されてもよく、組立中に付勢要素１５２の力をカバー１５４から取り除くことにより、摩耗に起因する損傷または損耗を防止する、または大幅に低減する。
【００３３】
図４は、カバー１５４が筐体１３４に取り付けられた後の図１〜３の例示的アクチュエータ１０２を示す。示された例のカバー１５４は、カバー１５４が筐体１３４に取り付けられるときに圧縮アセンブリ１７２の少なくとも一部にアクセスを提供するために、開口
４００を含む。例えば、示されたように、開口４００は、カバー１５４が筐体１３４に取り付けられるときに締結部２０６の頭部２１２が開口４００にアクセスできる、かつ／または開口４００から突出するように、締結部２０６に位置合わせされる（例えば、同軸上に位置合わせされる）。
【００３４】
図５は、組み立てられた状態の例示的アクチュエータ１０２を示す。カバー１５４が図４に示されたように筐体１３４に取り付けられた後、圧縮アセンブリ１７２は、ピストン１４２がアクチュエータ１０２のストローク長さ位置（例えば、完全ストローク長さ位置）に位置付けられるように、付勢要素１５２を少なくとも部分的に減圧するように調節される。換言すると、組み立てられた状態では、付勢要素１５２の寸法長さまたは高さは、図５に示されたように空洞１３６の寸法長さまたは高さに実質的に等しい。しかし、より多くの付勢力が必要とされる場合、圧縮アセンブリ１７２は、付勢要素１５２の寸法長さまたは高さが、空洞１３６の寸法長さまたは高さより小さいように、付勢要素１５２を圧縮状態に調節または維持することができる。
【００３５】
付勢要素１５２を減圧するために、締結部２０６は、長手軸１２４を中心に第２の回転方向５００（例えば、反時計回りの方向）に（例えば、ツールまたはレンチを介して）回転される。詳細には、圧縮アセンブリ１７２またはプレート２０４の第１の直線方向１２２への移動により、付勢要素１５２は減圧するまたは膨張する。より具体的には、締結部２０６の第２の回転方向５００への回転により、締結部２０６のネジが抜け、したがって締結部２０６はアクチュエータステム１６４のネジ開口２２０から遠ざかる。締結部２０６のネジがアクチュエータステム１６４のネジ開口２２０から抜けると、圧縮アセンブリ１７２またはプレート２０４は、圧縮アセンブリ１７２またはプレート２０４に作用する付勢要素１５２の力（例えば、図３の向きでは流れ制御部材１１６に向かって上方方向）に起因して、長手軸１２４に沿ってカバー１５４に向かって第１の直線方向１２２に移動する。締結部２０６は、プレート２０４がカバー１５４を係合するまで、第２の回転方向５００に回転される。
【００３６】
圧縮アセンブリ１７２またはプレート２０４がカバー１５４を係合するとき、締結部２０６の第２の回転方向５００へのさらなる回転により、ピストン１４２は、流れ制御部材１１６が第２の止め部１３２（例えば、弁座１２０）を係合するまで、基部２００に向かって第２の直線方向１２６（例えば、図３の向きでは下方方向）に移動する。
【００３７】
図５に示されたように、カバーまたはキャップ５０２は、カバー１５４の外表面５０４に結合されて、汚染物質または破片がカバー１５４の開口４００、ひいてはバネチャンバ１４８に入るのを防止する。作動中、締結部２０６のネジ山なし部分２２２は、流れ制御部材１１６が弁座１２０に対して移動するときにプレート２０４の開口２０８に対して摺動する。示された例のキャップ５０２は、空洞５０６を画定してアクチュエータ１０２の作動中に締結部２０６の一部（例えば、頭部２１２）を受領する。したがって、締結部２０６および／またはキャップ５０２は、（例えば、弁１０４が図４に示されたように完全開位置にあるとき）アクチュエータ１０２の作動を妨げない。キャップ５０２は、バネチャンバ１４８を大気に放出することができる通気孔５０８を含んでもよい。一部の例では、図１に示されたように、締結部２０６は、キャップ５０２をカバー１５４に結合する前に、開口４００を介してアクチュエータステム１６４から取り除かれる、かつ／または分離されてもよい。
【００３８】
アクチュエータ１０２を分解するために、付勢要素１５２は圧縮アセンブリ１７２を介してカバー１５４から離して位置付けられ、カバー１５４は筐体１３４から分離される。
【００３９】
図１〜５の例示的アクチュエータ１００は、フェールトゥクローズのフェールセーフ機
構として構成されている。示されていないが、示された例のアクチュエータ１０２は、フェールトゥオープンのフェールセーフ機構として構成されてもよい。例えば、付勢要素１５２は、バネチャンバ１４８の代わりに圧力チャンバ１４４内に配置されてもよい。このような例では、ピストン１４２は、空洞１３６内に位置付けられ、カバー１５４に対向して位置付けられてもよい。圧縮アセンブリ１７２を利用して、筐体１３４の端部１４０から離れた付勢要素１５２を圧縮してもよい。例えば、アクチュエータステムまたはシリンダ本体は、ピストン１４２に結合されてもよい。アクチュエータステムは、圧縮アセンブリ１７２の締結部２０６を受領するための雌ネジ穴、および弁ステム１１８を受領するためのネジ山を備えた外面を有してもよい。例えば、付勢要素１５２が空洞１３６の内側に、かつ圧縮アセンブリ１７２を介して筐体１３４の端部１４０から離れた圧縮位置まで圧縮された後、基部２００は筐体１３４の端部１４０に取り付けられる、または結合される（例えば、螺合結合される）。次いで締結部２０６が基部２００の開口５１０を介してアクチュエータステムから取り除かれることにより、付勢要素１５２は基部２００を係合するために減圧される。次いで弁ステム１１８は、アクチュエータステムのネジ山を備えた外面を介してアクチュエータステムに結合されてもよい。さらに別の例では、アクチュエータステムは、ネジ山を備えた外面を利用しない。その代わりに、二重ネジ締結部（例えば、スタッド）は、締結部２０６がアクチュエータステムから取り除かれた後、弁ステム１１８に結合する第１のネジ端部およびアクチュエータステムの雌ネジ開口に結合する第２のネジ端部を有する。
【００４０】
図６は、図１〜５の例示的アクチュエータ１０２などの、本明細書に開示された例示的アクチュエータを組み立てるために使用され得る、例示的方法６００のフローチャートである。例示的方法６００は、本明細書に開示された例示的アクチュエータを組み立てるために使用され得るが、図６に示された１つまたは複数のブロックおよび／またはプロセスをあらゆる他の方法で組み合わせる、分割する、再配置する、割愛する、削除するかつ／または実施してもよい。一層さらに、図６の例示的方法は、図６に示された例示的方法に加えて、または図６に示された例示的方法の代わりに、１つまたは複数のプロセスおよび／もしくはブロックを含んでもよく、かつ／または任意のもしくはすべての示されたプロセスおよび／もしくはブロックの２つ以上を含んでもよい。例示的方法６００は図６に示されたフローチャートを参照して説明されているが、例示的アクチュエータを組み立てる多くの他の方法が別法として使用されてもよい。
【００４１】
例示的方法６００は、付勢要素をアクチュエータの筐体またはシリンダの空洞内に位置付けることによって開始する（ブロック６０２）。より具体的には、付勢要素は、弛緩状態または非圧縮状況で空洞内に位置付けられる。弛緩状態では、付勢要素の一部または端部（例えば、図１の第１の端部１５４）は、空洞から突出し筐体の縁部を超す。
【００４２】
付勢要素が筐体内に位置付けられた後、付勢要素は圧縮位置まで圧縮される（ブロック６０４）。圧縮位置では、付勢要素の端部は、空洞の内側に、かつ筐体の縁部から離れて位置付けられる。圧縮アセンブリ（例えば、圧縮アセンブリ１７２）を利用して、付勢要素を圧縮位置まで圧縮してもよい。例えば、圧縮アセンブリのプレートは、付勢要素の端部に結合されてもよく、プレートは、締結部を介してアクチュエータステムに結合されることが可能である。例えば、圧縮アセンブリは、圧縮アセンブリの締結部が長手軸を中心に第１の回転方向に回転し、アクチュエータステムのネジ開口の中に入ることにより、付勢要素を付勢要素または空洞の長手軸に沿って第１の直線方向に移動させてもよく、または圧縮させてもよい。
【００４３】
次いで付勢要素は、圧縮位置に維持される（ブロック６０６）。より具体的には、付勢要素は、カバーがアクチュエータの筐体に結合されるまたは取り付けられるまで、圧縮位置に維持される。例えば、圧縮アセンブリは、プレートの締結部がアクチュエータステム
のネジ開口内に螺合されるとき、プレートを介して付勢要素を圧縮位置に維持する。
【００４４】
次いでカバーは、付勢要素が圧縮位置にあるときに筐体１３４に取り付けられる、または結合される（ブロック６０８）。例えば、カバーは筐体の端部に取り付けられる、または結合される一方で、付勢要素は筐体の端部から離れて位置付けられる。例えば、圧縮位置では、付勢要素は、カバーがアクチュエータの筐体に結合されると、カバーから作動可能に分離される、または離間される。結果として、カバーは筐体の端部に螺合可能に結合される一方で、付勢要素はカバーから作動可能に分離される。
【００４５】
カバーがアクチュエータの筐体に取り付けられた後、付勢要素は減圧される（ブロック６１０）。例えば、付勢要素は圧縮アセンブリを介して減圧されてもよい。例えば、圧縮アセンブリは、圧縮アセンブリの締結部が長手軸を中心に第２の回転方向に回転し、アクチュエータステムのネジ開口から出ることにより、付勢要素を付勢要素または空洞の長手軸に沿って第２の直線方向に移動させてもよく、または減圧させてもよい。例えば、付勢要素は、圧縮アセンブリのプレートおよび／または付勢要素がアクチュエータのカバーを係合するまで、減圧されてもよい。加えて、締結部は、アクチュエータのカバー内の穴を介してアクチュエータステムおよび／または筐体から取り除かれてもよい。
【００４６】
いくつかの例示的な方法、装置および製品を本明細書に説明したが、本発明の対象の範囲がそれに限定されるものではない。一方、本発明は、添付の特許請求の範囲内で文字通りまたは均等論の元に適正に収まるすべての方法、装置および製品を包含する。
【図１】
0006276269.tif 000002
【図２】
0006276269.tif 000003
【図３】
0006276269.tif 000004
【図４】
0006276269.tif 000005
【図５】
0006276269.tif 000006
【図６】
0006276269.tif 000007